(57)【特許請求の範囲】
【請求項１】
外部電源ケーブルがつながれた有線接続部材が接続される接続部を備え、放射線発生装置が発生させた放射線を検出する可搬性の放射線画像撮影装置と、
前記接続部に接続される保管用接続部材と、
前記放射線画像撮影装置に設けられ、前記接続部に接続された前記保管用接続部材の取り外しを制限するロック手段と、
一端が前記保管用接続部材に連結され、他端が前記放射線画像撮影装置とは別個に設けられた固定部に連結され、前記保管用接続部材の可搬範囲を制限する連結部材と、
前記放射線画像撮影装置とは別個に設けられ、前記放射線発生装置に放射線を発生させ、前記放射線画像撮影装置との間で情報の授受を行う撮影制御手段と、
前記放射線画像撮影装置に設けられ、前記撮影制御手段から出力される信号で、前記ロック手段によるロック状態を解除するロック解除手段と、
を有する放射線画像撮影システム。
【請求項２】
前記放射線画像撮影装置には、前記接続部に前記保管用接続部材が接続されたとき、前記放射線画像撮影装置に設けられた内部電源から、外部電源へ切り替える電源切替手段が設けられている請求項１に記載の放射線画像撮影システム。
【請求項３】
前記電源切替手段は、前記接続部への前記保管用接続部材の接続を検出し、内部電源ラインから外部電源ラインへ切り替える２入力１出力のセレクタを有している請求項２に記載の放射線画像撮影システム。
【請求項４】
前記電源切替手段は、前記接続部の接続端子間の導通を検出し、前記内部電源ラインと前記外部電源ラインを切り替える請求項３に記載の放射線画像撮影システム。
【請求項５】
前記電源切替手段は、前記導通を、前記接続部の接続端子の中の第１接続端子及び第２接続端子で検出し、前記第１接続端子及び前記第２接続端子と接続される、前記保管用接続部材の接続端子の中の第３接続端子及び第４接続端子は、前記保管用接続部材の内部で短絡されている請求項４に記載の放射線画像撮影システム。
【請求項６】
前記接続部の前記第１接続端子は接地され、前記第２接続端子は、前記セレクタの制御端子に接続されたトランジスタのベースに接続されている請求項５に記載の放射線画像撮影システム。
【請求項７】
前記ロック手段は、前記保管用接続部材に設けられた爪部材のロック部に挿入されるロックピンと、
前記ロックピンを移動させ、前記ロック部の取り外し方向への移動を阻止する状態、又は取り外し方向への移動を可能とする状態とするソレノイドと、
を有する請求項１〜６のいずれか１項に記載の放射線画像撮影システム。
【請求項８】
前記爪部材は、一対の腕部と、前記腕部の端部に形成され互いに外方へ突出され前記接続部に形成された係合部と係合する爪部と、を有している請求項７に記載の放射線画像撮影システム。
【請求項９】
前記腕部は、前記保管用接続部材に設けられた移動機構に取付けられ、前記移動機構が操作されたとき、前記腕部を互いに接近する方向へ移動させる請求項８に記載の放射線画像撮影システム。
【請求項１０】
前記放射線画像撮影装置には警報発生手段が設けられ、前記警報発生手段は、前記ロック手段がロック状態のまま、前記接続部から前記保管用接続部材が外されると警報を発する請求項１〜９のいずれか１項に記載の放射線画像撮影システム。
【請求項１１】
前記連結部材は鋼製の可撓性長尺材であり、前記保管用接続部材に形成された貫通孔又は切欠き部に連結されている請求項１〜１０のいずれか１項に記載の放射線画像撮影システム。
【請求項１２】
前記鋼製の可撓性長尺材の両端は、ループ状に閉じている請求項１１に記載の放射線画像撮影システム。
【請求項１３】
前記鋼製の可撓性長尺材はワイヤであり、前記ワイヤの一部は、放射線画像撮影装置の保管用支柱に接続されている請求項１１又は１２に記載の放射線画像撮影システム。
【発明の詳細な説明】
【技術分野】
【０００１】
本発明は、放射線画像を撮影する放射線画像撮影システムに関する。
【背景技術】
【０００２】
放射線画像撮影システムは、放射線を発生させる放射線発生装置、被写体を透過した放射線を検出し記録する放射線画像撮影装置（以下、電子カセッテと記す。）、及びこれらを制御する撮影制御手段（以下、コンソールと記す。）を用いて放射線画像を撮影する。
ここに、電子カセッテは可搬型とされ、撮影終了後は保管場所で保管される。
このような電子カセッテには、コネクタとの接合部をロックするロック機能を備えたものがある（特許文献１）。
【０００３】
特許文献１は、電子カセッテ側のコネクタとケーブル側のコネクタを接続させた状態で、電子カセッテに設けたソレノイドで、可動鉄心を移動させ、電子カセッテ側のコネクタとケーブル側のコネクタをロック、及びロック解除させる構成である。ロック動作は、電子カセッテの制御部からのロック信号で行われる。一方、ロック解除は、電子カセッテに設けた解除ボタンを押すことで解除される。
【０００４】
即ち、特許文献１は、電子カセッテの使用時に、電子カセッテからケーブル側のコネクタが抜け出さないように、電子カセッテにケーブル側のコネクタをロックしている。ロック解除は、電子カセッテに設けた解除ボタンを押すだけで解除できる。特許文献１のコネクタを、支柱等に連結するための連結部として利用しても、第三者が容易にロック解除できるため、電子カセッテの可搬範囲を制限することはできない。
【０００５】
【特許文献１】特開２００３−６１９４２号公報
【発明の概要】
【発明が解決しようとする課題】
【０００６】
本発明は、上記事実に鑑み、保管時に、電子カセッテの可搬範囲を制限できる放射線画像撮影システムを提供することを目的とする。
【課題を解決するための手段】
【０００７】
請求項１に記載の発明に係る放射線画像撮影システムは、  外部電源ケーブルがつながれた有線接続部材が接続される接続部を備え、放射線発生装置が発生させた放射線を検出する可搬性の放射線画像撮影装置と、前記接続部に接続される保管用接続部材と、前記放射線画像撮影装置に設けられ、前記接続部に接続された前記保管用接続部材の取り外しを制限するロック手段と、一端が前記保管用接続部材に連結され、他端が前記放射線画像撮影装置とは別個に設けられた固定部に連結され、前記保管用接続部材の可搬範囲を制限する連結部材と、前記放射線画像撮影装置とは別個に設けられ、前記放射線発生装置に放射線を発生させ、前記放射線画像撮影装置との間で情報の授受を行う撮影制御手段と、前記放射線画像撮影装置に設けられ、前記撮影制御手段から出力される信号で、前記ロック手段によるロック状態を解除するロック解除手段と、を有している。
【０００８】
請求項１に記載の発明によれば、放射線画像撮影システムは、ロック手段を備えた放射線画像撮影装置を有し、保管用接続部材が放射線画像撮影装置の接続部に接続されたとき、ロック手段により、接続部に接続された保管用接続部材がロックされる。ロックされた保管用接続部材は連結部材に連結されており、放射線画像撮影装置とは別個に設けられた固定部に連結することで、放射線画像撮影装置の可搬範囲を、連結部材の長さに制限することができる。
また、放射線画像撮影装置に設けられたロック解除手段が、放射線画像撮影装置とは別個に設けられた撮影制御手段から出力された信号で解除される。これにより、放射線画像撮影装置の位置でロック状態を解除することはできず、第三者のロック解除が防止される。
【０００９】
請求項２に記載の発明は、請求項１に記載の放射線画像撮影システムにおいて、前記放射線画像撮影装置には、前記接続部に前記保管用接続部材が接続されたとき、前記放射線画像撮影装置に設けられた内部電源から、外部電源へ切り替える電源切替手段が設けられていることを特徴としている。
【００１０】
請求項２に記載の発明によれば、放射線画像撮影装置の接続部に保管用接続部材が接続されたとき、電源切替手段により、内部電源から外部電源へ切り替えられる。即ち、保管用接続部材が接続されていないときは内部電源が供給され、保管用接続部材が接続されているときは外部電源が供給される。
この結果、外部電源ケーブルがつながれていない保管時に、保管用接続部材を接続部に接続すれば、内部電願の消費量を抑制できる。
【００１１】
請求項７に記載の発明は、請求項１〜６のいずれか１項に記載の放射線画像撮影システムにおいて、前記ロック手段は、前記保管用接続部材に設けられた爪部材のロック部に挿入されるロックピンと、前記ロックピンを移動させ、前記ロック部の取り外し方向への移動を阻止する状態、又は取り外し方向への移動を可能とする状態とするソレノイドと、を有することを特徴としている。
【００１２】
請求項７に記載の発明によれば、前記ロック手段はロックピンとソレノイドを有し、ソレノイドがロックピンを移動させ、接続部材に設けられた爪部材のロック部へロックピンを挿入させる。また、ソレノイドは、ロックピンを移動させ、爪部材のロック部とのロックを解除させる。
これにより、ソレノイドを制御することで、接続部材のロック又はロック解除が可能となる。
【００１３】
請求項８に記載の発明は、請求項７に記載の放射線画像撮影システムにおいて、前記爪部材は、一対の腕部と、前記腕部の端部に形成され互いに外方へ突出され前記接続部に形成された係合部と係合する爪部と、を有していることを特徴としている。
これにより、腕部を移動させることで、爪部を係合部に係合させ、係合部材と放射線画像撮影装置を連結することができる。
【００１４】
請求項９に記載の発明は、請求項８に記載の放射線画像撮影システムにおいて、前記腕部は、前記保管用接続部材に設けられた移動機構に取付けられ、前記移動機構が操作されたとき、前記腕部を互いに接近する方向へ移動させることを特徴としている。
これにより、移動機構を操作することで腕部を移動させ、爪部間の距離を調整できる。また、爪部と係合部の係合を解除することができる。
【００１６】
請求項１０に記載の発明は、請求項１〜９のいずれか１項に記載の放射線画像撮影システムにおいて、前記放射線画像撮影装置には、警報発生手段が設けられ、前記警報発生手段は、前記ロック手段がロック状態のまま、前記接続部から前記保管用接続部材が外されると警報を発することを特徴としている。
これにより、第三者にロックを解除されたことを周囲に知らせることができる。
【００１７】
請求項１１に記載の発明は、請求項１〜１０のいずれか１項に記載の放射線画像撮影システムにおいて、前記連結部材は鋼製の可撓性長尺材であり、前記保管用接続部材に形成された貫通孔又は切欠き部に連結されていることを特徴としている。
鋼製の可撓性長尺材で保管用接続部材を連結することにより切断が困難となり、放射線画像撮影装置の可搬範囲を鋼製の可撓性長尺材の長さに制限できる。
【００１８】
請求項１２に記載の発明は、請求項１１に記載の放射線画像撮影システムにおいて、前記鋼製の可撓性長尺材はワイヤであり、前記ワイヤの一部は、放射線画像撮影装置の保管用支柱に接続されていることを特徴としている。
これにより、放射線画像撮影装置の可搬範囲を、保管用支柱を中心としたワイヤの長さの範囲に制限することができる。
【００１９】
請求項１３に記載の発明は、請求項１１又は１２に記載の放射線画像撮影システムにおいて、前記鋼製の可撓性長尺材はワイヤであり、前記ワイヤの一部は、放射線画像撮影装置の保管用支柱に接続されていることを特徴としている。
これにより、放射線画像撮影装置の可搬範囲を、保管用支柱を中心としたワイヤの長さの範囲に制限することができる。
【００２０】
請求項３に記載の発明は、請求項２に記載の放射線画像撮影システムにおいて、前記電源切替手段は、前記接続部への前記保管用接続部材の接続を検出し、内部電源ラインから外部電源ラインへ切り替える２入力１出力のセレクタを有していることを特徴としている。
【００２１】
請求項３に記載の発明によれば、２入力１出力のセレクタにより、接続部への保管用接続部材の接続が検出され、内部電源ラインと外部電源ラインの切り替えが行われる。
これにより、保管用接続部材の接続を電気的に検出して、セレクタで迅速に内部電源ラインと外部電源ラインの切り替えができる。
【００２２】
請求項４に記載の発明は、請求項３に記載の放射線画像撮影システムにおいて、前記電源切替手段は、前記接続部の接続端子間の導通を検出し、前記内部電源ラインと前記外部電源ラインを切り替えることを特徴としている。
これにより、電気的に接続部材の接続を検出できる。
【００２３】
請求項５に記載の発明は、請求項４に記載の放射線画像撮影システムにおいて、前記電源切替手段は、前記導通を、前記接続部の接続端子の中の第１接続端子及び第２接続端子で検出し、前記第１接続端子及び前記第２接続端子と接続される、前記保管用接続部材の接続端子の中の第３接続端子及び第４接続端子は、前記保管用接続部材の内部で短絡されていることを特徴としている。
これにより、簡単な構成で保管用接続部材の接続を検出できる。
【００２４】
請求項６に記載の発明は、請求項５に記載の放射線画像撮影システムにおいて、前記接続部の前記第１接続端子は接地され、前記第２接続端子は、前記セレクタの制御端子に接続されたトランジスタのベースに接続されていることを特徴としている。
これにより、管用接続部材の接続に基づいて、内部電源タインと外部電源ラインを切り替えることができる。
【発明の効果】
【００２５】
本発明は、上記構成としてあるので、保管時に、電子カセッテの可搬範囲を制限できる放射線画像撮影システムを提供することができる。
【図面の簡単な説明】
【００２６】
【図１】本発明の第１の実施の形態に係る放射線画像撮影システムの基本構成を示す概念図である。
【図２】本発明の第１の実施の形態に係る放射線画像撮影システムの放射線画像撮影装置及び有線コネクタの接続状態を示す側面図である。
【図３】本発明の第１の実施の形態に係る放射線画像撮影システムの放射線画像撮影装置及び有線コネクタの接続部の基本構成を示す平面図である。
【図４】本発明の第１の実施の形態に係る放射線画像撮影システムの放射線画像撮影装置及びロックコネクタの接続状態を示す側面図である。
【図５】本発明の第１の実施の形態に係る放射線画像撮影システムの有線コネクタ及びロックコネクタの内部構造を示す図である。
【図６】本発明の第１の実施の形態に係る放射線画像撮影システムの放射線画像撮影装置とロックコネクタの接続状態を示す側面図である。
【図７】本発明の第１の実施の形態に係る放射線画像撮影システムのロックコネクタのロックアームの移動機構を示す概念図である。
【図８】本発明の第１の実施の形態に係る放射線画像撮影システムの放射線画像撮影装置とロックコネクタの接続状態を示す側面図である。
【図９】本発明の第１の実施の形態に係る放射線画像撮影システムの放射線画像撮影装置に設けられた電源切替回路を示す回路図である。
【図１０】本発明の第１の実施の形態に係る放射線画像撮影システムの放射線画像撮影装置とロックコネクタの接続時の結線構成を示す結線図である。
【図１１】本発明の第１の実施の形態に係る放射線画像撮影システムの放射線画像撮影装置と有線コネクタの接続時の結線構成を示す結線図である。
【図１２】本発明の第２の実施の形態に係る放射線画像撮影システムの放射線画像撮影装置とロックコネクタの接続状態を示す側面図である。
【発明を実施するための形態】
【００２７】
（第１の実施の形態）
図１のシステム概念図に示すように、第１の実施の形態に係る放射線画像撮影システム１０は、放射線６１を発生させる放射線発生装置６０と、被写体６２を放射線発生装置６０との間に挟んで配置され、被写体６２を通過した放射線６１を検出する電子カセッテ１２と、電子カセッテ１２と放射線発生装置６０とを制御するコンソール６４と、を有している。
電子カセッテ１２とコンソール６４の間は、通信ケーブル４３又は無線信号Ｓで接続されて情報の授受が行われ、放射線発生装置６０とコンソール６４の間は、通信ケーブル４４で接続されて情報の授受が行われる。
【００２８】
ここに、放射線発生装置６０とコンソール６４は、一般的に用いられている市販機器であり、説明は省略する。電子カセッテ１２と通信ケーブル４３は、後述する有線コネクタ１４を用いて着脱可能に接続されている。
電子カセッテ１２は可搬型とされ、通信ケーブル４３を外せば手に持って持ち運ぶことができ、撮影終了後保管場所で保管される。このとき、電子カセッテ１２の外周面は平らに仕上げられ、保管時に固定用のワイヤ等を取付けるための突出部等は形成されていない。
【００２９】
図２は、本実施の形態に係る電子カセッテ１２への通信ケーブル４３の接続方法を示している。
電子カセッテ１２は矩形に形成された平板状の筐体４２を有し、筐体４２の側面４２Ｓには、有線コネクタ１４が接続可能な本体側の接続部２４が設けられている。
通信ケーブル４３の先端には、コネクタ側の接続部２２を備えた有線コネクタ１４が取り付けられている。有線コネクタ１４の接続部２２と、電子カセッテ１２の接続部２４は互いに接続して動通可能とされている。ここに、通信ケーブル４３には、外部電源ケーブルも含まれている。
接続部２４と接続部２２を接続することにより、通信ケーブル４３を介して、電子カセッテ１２とコンソール６４の間で情報の授受、及び外部電力の供給がなされる。
【００３０】
次に、電子カセッテ１２について説明する。
図３のブロック図に示すように、電子カセッテ１２の筐体４２の側壁４２Ｓには、接続端子２４が設けられている。接続端子２４には、有線コネクタ１４又は後述するロックコネクタ１５が接続される。
【００３１】
筐体４２の内部には、放射線６１（図１）を検出して記録する放射線検出手段２８、放射線検出手段２８に電力を供給する内部電源（バッテリー）３０、放射線検出手段２８を制御する制御部３２、バッテリー３０と外部電源ライン３４を切り替える電源切替回路３６が収納されている。
これにより、電源切替回路３６により、内部電源３０が選択されている場合には、内部電源ライン３５からの電力により、制御部３２が放射線検出手段２８を制御し、放射線検出手段２８が放射線を検出する。検出された放射線は画像処理されて、図示しない通信手段を介して、コンソール６０（図１）へ送信される。
【００３２】
一方、電源切替回路３６により、外部電源ライン３４が選択されている場合（有線コネクタ１４が接続されている場合）には、外部電源ライン３４からの電力により、制御部３２が放射線検出手段２８を制御し、放射線検出手段２８が放射線６１を検出する。検出された放射線６１は画像処理されて、図示しない通信手段を介して、コンソール６０へ送信される。
【００３３】
次に、図３〜６を用いてロックコネクタ１５について説明する。
図３に示すように、本放射線画像撮影システム１０においては、有線コネクタ１４に加え、ロックコネクタ１５が用意されている。ロックコネクタ１５は、電子カセッテ１２の接続部２４に、接続可能に構成されたロックコネクタ側の接続部２３を有している。また、ロックコネクタ１５には、通信ケーブル４３はつながれていない。
ロックコネクタ１５は、例えば、電子カセッテ１２の保管時等に使用され、有線コネクタ１４が取り外された後に、接続部２４へ接続される。
【００３４】
ロックコネクタ１５は、手で持って操作するための筐体１６を有し、筐体１６の内部には、接続端子が設けられている。筐体１６は閉じた側壁部を有する箱型に形成され、側壁部で把持される。筐体１６の２つの角部には、開口部１６Ｈが設けられ、開口部１６Ｈからは、操作部６６が突き出されている。
【００３５】
ロックコネクタ１５を電子カセッテ１２の接続部２４に接続することにより、電源切替回路３６が、内部電源３０から放射線検出手段２８等への電力供給を遮断する。なお、本実施の形態に係るロックコネクタ１５は、有線コネクタ１４と、形状、寸法等の仕様が略同一のものとされており、電子カセッテ１２に接続された状態で、密閉性を有するものとされている。
【００３６】
ロックコネクタ１５の筐体１６の側面１６Ｓには、ロックコネクタ側の接続部２３が設けられ、接続部２３には後述する接続端子が取り付けられている。接続部２３と、電子カセッテ１２の接続部２４とが接続されたとき、接続部２４に設けられた接続端子とロックコネクタ１５の接続端子が導通される。
【００３７】
次に、有線コネクタ１４とロックコネクタ１５の内部構成を説明する。
図５（Ａ）には有線コネクタ１４の内部構成が、図５（Ｂ）にはロックコネクタ１５の内部構成が記載されている。
図５（Ａ）に示すように、有線コネクタ１４には通信ケーブル４３がつながれ、有線コネクタ１４の側面には接続部２２が設けられている。接続部２２には、接続端子１４Ａ１、１４Ａ２、１４Ａ３が設けられている。接続端子１４Ａ１には、外部電源ライン３４が接続されている。接続端子１４Ａ２、１４Ａ３は、有線コネクタ１４の内部で短絡されている。なお、通信ケーブル４３の中には、制御信号や画像データ等をコンソール６４との間で送受信するための情報ラインがあり、接続端子にそれぞれ接続されているが、図示は省略している。
【００３８】
図５（Ｂ）に示すように、ロックコネクタ１５には、通信ケーブル４３はつながれていない。ロックコネクタ１５の側面には、接続部２３が設けられている。接続部２３には、接続端子１５Ｂ１、１５Ｂ２、１５Ｂ３が設けられている。接続端子１５Ｂ１には、外部電源ラインは接続されていない。接続端子１５Ｂ２、１５Ｂ３は、ロックコネクタ１５の内部で短絡されている。
また、ロックコネクタ１５の内部には、接続部２３を挟んで両側に、ロックアーム５０が設けられている。
【００３９】
次に、ロックコネクタ１５を電子カセッテ１２にロックするロック機能について説明する。
図６に示すように、ロックコネクタ１５は、一対のロックアーム５０を有している。ロックアーム５０は、接続部２３の外側に設けられ腕部状となっている。腕部は、長手方向が接続端子１５Ｂ１〜１５Ｂ３と平行とされ、腕部の先端には、爪部５２が形成されている。爪部５２は、互いに外方に向けて設けられ、爪部５２の筐体１６側の腕部には、貫通孔５４が形成されている。また、筐体１６には、貫通孔９０が設けられている。
【００４０】
ロックアーム５０は、例えば図７で示す移動機構６８に取付られ、接続端子１５Ｂ１〜１５Ｂ３と平行な方向（矢印Ｐ２の方向）へ移動可能に収納されている。即ち、筐体１６の角部には操作部６６が設けられ、操作部６６を押し込む方向（矢印Ｐ１の方向）へ押せば、Ｌ字部材７０が、支点７１を中心に回転する（回転方向Ｒ１）。Ｌ字部材７０の端部は回転節点ａ１に接合されているため、Ｌ字部材７０の端部が、回転節点ａ１を矢印Ｐ３の方向へ移動させる。回転節点ａ２は筐体１６に取付けられ、移動しないため、回転節点ａ３が矢印Ｐ２の方向へ移動させられる。回転節点ａ３には、ロックアーム５０が取り付けられている。
この結果、ロックアーム５０が矢印Ｐ２の方向へ移動する。なお、回転節点ａ２と回転節点ａ３の間には、スプリング６９が設けられており、操作部６６から手を離せば、ロックアーム５０は、移動前の位置に戻る。
【００４１】
電子カセッテ１２の接合部２４には、接続端子１５Ｃ１〜１５Ｃ３が設けられている。ロックコネクタ１５の接合部２３には、接続端子１５Ｃ１〜１５Ｃ３と対向する位置に、接続端子１５Ｂ１〜１５Ｂ３が設けられている。
また、ロックアーム５０と対向する位置には、ロックアーム受８０が設けられている。ロックアーム受８０の側壁には、ロックアーム５０が挿入されたときに、爪部５２を収納する爪受部８０Ｓが設けられている。
爪受部８０Ｓの上方（ロックアーム受８０の入口側）には、ソレノイド５６が取付けられている。ソレノイド５６は、ピン５８を軸線方向に移動させることができる。ソレノイド５６は、コード５７で制御部３２と接続され、ソレノイド５６によりピン５８の移動が制御される。
【００４２】
次に、ロックコネクタ１５と電子カセッテ１２の接合について説明する。
図８（Ａ）に示すように、ロックコネクタ１５の操作部６６を矢印Ｐ１の方向へ押し込み、ロックアーム５０を矢印Ｐ２の方向へ移動させ、ロックアーム５０の距離を近づける。次に、ロックコネクタ１５を矢印Ｄの方向へ移動させ、ロックコネクタ１５を電子カセッテ１２の接合部２４と接合させる。
【００４３】
このとき、図８（Ｂ）に示すように、ロックアーム５０がロックアーム受８０に挿入され、ロックアーム５０の爪部５２が爪受部８０Ｓに係止される。また、接続端子１５Ｂが接続端子１５Ｃに挿入され導通される。
【００４４】
その後、コンソール６４からソレノイド５６を制御してピン５８を軸線方向に移動させる。このとき、ピン５８が貫通孔５４に挿入される。この結果、ロックアーム５０の、抜け出る方向（ピン５８と直交する方向）への移動が制限される。
なお、電子カセッテ１２の内部電源３０は遮断されているが、ソレノイド５６の制御回路や無線の受信回路には常時通電されており、それらの機能が確保されている。
【００４５】
次に、図８（Ｃ）に示すように、電子カセッテ１２にロックコネクタ１５がロックされた状態で、固定部８８とロックコネクタ１５をワイヤ８６で連結する。
ワイヤ８６は、ロックコネクタ１５の貫通孔９０を利用して取り付ける。固定部８８は、例えば、電子カセッテ１２の運搬用台車の支柱や、保管コーナーに設けられた支柱等である。
これにより、電子カセッテ１２が固定部８８と連結され、電子カセッテ１２の可搬範囲がワイヤ８６の長さに制限される。即ち、保管時に、第三者が保管場所から電子カセッテ１２を持ち去るのを防止できる。
【００４６】
なお、ロック機能を解除する時は、コンソール６４との無線通信機能を使用する。即ち、コンソール６４からソレノイド５６を制御し、ピン５８を移動させ、貫通孔５４から抜き出す。その後、操作部を矢印Ｐ１の方向へ押し込み、ロックアーム５０を矢印Ｐ２の方向へ移動させる。これにより、爪部５２が爪受部８０Ｓから外れる。この状態で電子カセッテ１２からロックコネクタ１５を抜き出せばよい。コンソール６４を操作できる者は限定されており、第三者のロック解除を防止できる。更に、コンソール６４からのロック解除操作に暗号を用いてもよい。
【００４７】
なお、図示は省略するが、電子カセッテ１２にブザーを設けておき、ロック状態において、制御部３２からのロック解除信号を発する前に、後述する短絡用第１端子１５Ｃ２と短絡用第２端子１５Ｃ３の短絡が解除されたときは、第三者によるロック状態の開放操作が行われた判断し、制御部３２はブザーの鳴動信号を出す。
これにより、第三者にロックを解除されたことを周囲に知らせることができる。
なお、ピン５８の位置に圧力センサを設けておき、出力を制御部３２へ入力させる。ロック状態において、ピン５８に設定以上の力が加わったときは、第三者によるロック状態の開放操作が行われていると判断し、制御部３２がブザーの鳴動信号を出してもよい。
これにより、ロック解除の段階でロックが解除されていることを周囲に知らせることができる。
【００４８】
次に、ロックコネクタ１５による電源切替機能について説明する。
図９に示すように、電子カセッテ１２には電源切替回路３６が設けられている。電源切替回路３６は、２入力１出力のセレクタ７２と、トランジスタ７４と、２つのプル・アップ抵抗器７６、７８と、を備えており、セレクタ７２の一方の入力端子は内部電源３０の電力出力端子に接続されている。なお、本実施の形態に係るセレクタ７２は、制御端子がロー・レベル（Low Level）となっている場合に一方の入力端子が出力端子に接続され、制御端子がハイ・レベル（High Level）となっている場合に他方の入力端子が出力端子に接続される。但し、このセレクタ７２の論理は逆であってもよい。
【００４９】
一方、本体側の接続部２４には、有線コネクタ１４又はロックコネクタ１５が接続された場合に、有線コネクタ１４の外部電源端子１４Ａ１、又はロックコネクタ１５の外部電源端子１５Ｂ１に接触される電力入力端子１５Ｃ１が備えられており、セレクタ７２の他方の入力端子は電力入力端子１５Ｃ１に接続されている。
【００５０】
同様に、接続部２４は、有線コネクタ１４又はロックコネクタ１５が接続された場合に、短絡用第１端子１４Ａ３、及び短絡用第３端子１５Ｂ３に接触される短絡用第１端子１５Ｃ３が備えられている。さらに、接続部２４は、有線コネクタ１４又はロックコネクタ１５が接続された場合に、短絡用第２端子１４Ａ２、及び短絡用第４端子１５Ｂ２に接触される短絡用第２端子１５Ｃ２が備えられている。
そして、短絡用第１端子１５Ｃ２は、トランジスタ７４のベースに接続されると共に、プル・アップ抵抗器７６を介して、トランジスタ７４をオン状態とすることのできる所定の電圧にプル・アップされている。
【００５１】
一方、トランジスタ７４のコレクタはセレクタ７２の制御端子に接続されると共に、プル・アップ抵抗器７８を介してセレクタ７２の制御端子をオン状態（ハイ・レベル）とすることのできる所定の電圧にプル・アップされている。なお、トランジスタ７４のエミッタは接地されている。
【００５２】
そして、短絡用第２端子１５Ｃ３は接地されており、セレクタ７２の出力端子は各電力供給先との間に介在された、図示しないＤＣ／ＤＣコンバータの入力端子に接続されている。なお、本実施の形態に係る電源切替回路３６では、プル・アップ抵抗器７６およびプル・アップ抵抗器７８に、内部電源３０からのプル・アップ電圧が常時印加されている。
【００５３】
次に、図１０を用いて、ロックコネクタ１５を電子カセッテ１２に接続した場合（電子カセッテ１２の保管時）の電子カセッテ３２の作動を説明する。
同図に示すように、このとき、接続部２４に設けられた電力入力端子１４Ａ１は開放状態となる。
一方、接続部２４に設けられた短絡用第１端子１５Ｃ２と短絡用第２端子１５Ｃ３とが、ロックコネクタ１５に設けられた短絡用第１端子１５Ｂ２および短絡用第２端子１５Ｂ３を介して短絡される。この結果、トランジスタ７４がオフ状態となり、セレクタ７２の制御端子がプル・アップ抵抗器７８を介してハイ・レベルとされ、セレクタ７２における上記他方の入力端子が出力端子に接続された状態となる。
【００５４】
以上の動作により、内蔵電源３０からの電力供給が遮断され、電子カセッテ３２の各電力供給先には電力が供給されることはない。
【００５５】
以上説明したように、本実施の形態によれば、接続部材（ここでは、ロックコネクタ１５）が放射線画像撮影装置（ここでは、電子カセッテ１２）の有線コネクタ接続用の接続端子（ここでは、接続部２４）に接続された場合に、当該放射線画像撮影装置における内蔵電源（ここでは、内蔵電源３０）からの給電を遮断する。この結果、接続部材を取り付けるという簡易な操作のみにより、煩雑な操作を伴うことなく、内蔵電源３０の消費電力を抑制することができる。
【００５６】
また、本実施の形態によれば、ロックコネクタ１５を、放射線画像撮影装置と外部装置（ここでは、コンソール９０）との間を接続するケーブル（ここでは、ケーブル本体４３）に設けられた有線コネクタと同じ仕様としているので、本発明の接続部材を簡易に製作することができる。
【００５７】
次に、図１１を用いて、有線コネクタ１４を電子カセッテ１２に接続した状態（電子カセッテ１２の使用時）を示す。
同図に示すように、有線コネクタ１４に設けられた電力出力端子１４Ａ１が電子カセッテ１２の接続部２４に設けられた電力入力端子１５Ｃ１に接触される。
【００５８】
一方、接続部２４に設けられた短絡用第１端子１５Ｃ２と短絡用第２端子１５Ｃ３とが、有線コネクタ１４に設けられた短絡用第３端子１４Ａ２および短絡用第２端子１４Ａ３を介して短絡される。この結果、トランジスタ７４がオフ状態となり、セレクタ７２の制御端子がプル・アップ抵抗器７８を介してハイ・レベルとされ、セレクタ７２における上記他方の入力端子が出力端子に接続された状態となる。
【００５９】
以上の動作により、内部電源３０からの電力供給が遮断される一方、電子カセッテ１２の各電力供給先には、通信ケーブル４３を介して入力された外部電源ケーブル２６からの電力が上記ＤＣ−ＤＣコンバータ等を介して供給される。
これにより、外部電力による放射線画像の撮影ができる。
【００６０】
なお、電子カセッテ１２の接続部２４から有線コネクタ１４、及びロックコネクタ１５のいずれをも取り外した場合（内部電源３０の使用時）は、既に説明した図９の状態となる。
即ち、電子カセッテ１２の接続部２４に設けられた電力入力端子１５Ｃ１が開放状態とされる。同時に、短絡用第１端子１５Ｃ２と短絡用第２端子１５Ｃ３も、開放状態とされる。この結果、トランジスタ７４がオン状態となり、セレクタ７２の制御端子がロー・レベルとされ、セレクタ７２における上記一方の入力端子が出力端子に接続された状態（図７に示す状態）となる。
以上の動作により、電子カセッテ１２の各電力供給先には、内部電源３０からの電力が上記ＤＣ−ＤＣコンバータ等を介して供給される。
【００６１】
（第２の実施の形態）
図１２に示すように、第２の実施の形態に係る放射線画像撮影システム９６は、第１の実施の形態で説明したロックコネクタ１５の貫通孔９０を、ロックコネクタ９４の側部９４Ｓに形成した切欠き部９２とした構成である。相違点を中心に以下説明する。
【００６２】
図１２（Ａ）に示すように、第２の実施の形態に係るロックコネクタ９４は、接続部２３側の端部９４Ｓに切欠き部９２を設けて形成されている。即ち、切欠き部９２は、接続部２３側の端部が開放されているため、ロックコネクタ９４が電子カセッテ１２に接続されたときは、電子カセッテ１２の側壁９４Ｓで開放端が閉じ、ワイヤ８６の連結用の孔部が形成される。
ロックコネクタ９４と電子カセッテ１２の接続方法、ロック方法は第１の実施の形態と同じであり、説明は省略する。
【００６３】
図１２（Ｂ）に示すように、電子カセッテ１２にロックコネクタ９４がロックされた状態で、ワイヤ８６で連結する。又はワイヤ８６を取り付けた状態で電子カセッテ１２にロックコネクタ９４を取り付ける。
ワイヤ８６は、ロックコネクタ９４の切欠き部９２を利用して一端を取り付け、他端は固定部８８に取り付ける。
【００６４】
これにより、電子カセッテ９４が固定部８８と連結され、電子カセッテ１２の可搬範囲がワイヤ８６の長さに制限される。即ち、保管時に、第三者が電子カセッテ１２を持ち去るのを防止できる。
なお、切欠き部９２は、ロックコネクタ９４の中央寄りに形成することで、強度の強い取り付け部とすることができる。
【符号の説明】
【００６５】
１０  放射線画像撮影システム
１２  電子カセッテ（放射線画像撮影装置）
１４  有線コネクタ（有線接続部材）
１５  コックコネクタ（接続部材）
２２  有線コネクタ側の接続部
２３  コックコネクタ側の接続部
２４  本体側の接続部
３０  内部電源
３２  制御部
３４  外部電源ライン
３６  電源切替回路（切替手段）
５０  ロックアーム（爪部材）
５２  爪部（爪部材）
５４  貫通孔（ロック部）
５６  ソレノイド（ロック手段）
５８  ピン（ロック手段）
６４  コンソール
６８  移動機構
７２  セレクタ
７４  トランジスタ
８０  ロックアーム受部（係合部）
【図１】
0005778504.tif 000002
【図２】
0005778504.tif 000003
【図３】
0005778504.tif 000004
【図４】
0005778504.tif 000005
【図５】
0005778504.tif 000006
【図６】
0005778504.tif 000007
【図７】
0005778504.tif 000008
【図８】
0005778504.tif 000009
【図９】
0005778504.tif 000010
【図１０】
0005778504.tif 000011
【図１１】
0005778504.tif 000012
【図１２】
0005778504.tif 000013